(57)【要約】【課題】部品点数が削減され構造が簡素化された把手着脱式カップを提供する。【解決手段】底部１０とこの底部１０の周縁から上方に立ち上がる側壁１１とを具備する有底筒状の容器本体０１と、容器本体０１の側方に設けられる把手０２とを備えるカップＡであって、側壁１１の上部に、側壁１１の上端が径外方向に屈曲したフランジ部１２、および、フランジ部１２の径外方向の端部から下方に屈曲する形態の垂下壁１３を備え、垂下壁１３と側壁１１との間に所定寸法の把手止着用間隙１４が形成され、把手０２の上端に、把手止着用間隙１４に嵌入される嵌入体２１を備え、把手０２が下方に移動することを牽制する把手降下規制部４１ｋを備える。把手降下規制部４１ｋが、容器本体０１の外面を下方から覆う弾性体からなるカバー体４１である。【選択図】図３
2020121088.tif 000002
【特許請求の範囲】
【請求項１】
底部とこの底部の周縁から上方に立ち上がる側壁とを具備する有底筒状の容器本体と、
前記容器本体の側方に設けられる把手とを備えるカップであって、
前記側壁の上部に、前記側壁の上端が径外方向に屈曲したフランジ部、および、前記フランジ部の径外方向の端部から下方に屈曲する形態の垂下壁を備え、
前記垂下壁と前記側壁との間に所定寸法の把手止着用間隙が形成され、
前記把手の上端に、前記把手止着用間隙に嵌入される嵌入体を備え、
前記把手が下方に移動することを牽制する把手降下規制部を備えることを特徴とする把手着脱式カップ。
【請求項２】
前記把手降下規制部が、前記容器本体の外面を下方から覆う弾性体からなるカバー体であることを特徴とする請求項１の把手着脱式カップ。
【請求項３】
前記フランジ部および前記垂下壁を、前記側壁の上部の全周にわたって備えることを特徴とする請求項１または請求項２の把手着脱式カップ。
【請求項４】
前記フランジ部に孔を備えることを特徴とする請求項３の把手着脱式カップ。
【請求項５】
前記フランジ部および前記垂下壁が、前記側壁の上部の周方向の一部に備え、
前記側壁の上部の周方向の前記一部を除く他部が、前記フランジ部、或いは、前記垂下壁を備えない欠損部となっていることを特徴とする請求項１または請求項２の把手着脱式カップ。
【請求項６】
前記嵌入体には、前記把手止着用間隙に沿って伸びる延長部が延設されていることを特徴とする請求項１から請求項５の把手着脱式カップ。
【請求項７】
前記カバー体が、前記把手が前記容器本体の外面の周方向に移動することを牽制する、把手周方向移動規制部を備えることを特徴とする請求項１から請求項６の把手着脱式カップ。
【発明の詳細な説明】
【技術分野】
【０００１】  本発明は、底部とこの底部の周縁から上方に立ち上がる側壁とを具備する有底筒状の容器本体と、前記容器本体の側方に設けられる把手とを備える把手着脱式カップに関する。
【背景技術】
【０００２】  上記のような把手着脱式カップとして、把手に取付けられた把手構成部材により容器を上下から挟持するものが知られている。（例えば、特許文献１参照）。
【先行技術文献】
【特許文献】
【０００３】
【特許文献１】特開平１１−２５３２９２号公報
【発明の概要】
【発明が解決しようとする課題】
【０００４】  特許文献１に記載された把手着脱式カップにおいては、樹脂製の把手の上部に形成された係合形状をガラス容器の上端にひっかけ、ガラス容器胴部を絞止する帯状体であるバンドを、ビス及びナット部品により締め上げ、ガラス容器に固定されていると共に、バンドと同一のビスにより把手に取付けられた金具によりガラス容器を下から支持するように構成されている。【０００５】  つまり、特許文献１に記載された把手着脱式カップにおいては、樹脂製の把手の上部に形成された係合形状をガラス容器の上端に、ガラス容器上方からひっかける形態のものであるから、樹脂製の把手の上部に形成された係合形状によりガラス容器を下から支持するような力が作用しないため、ガラス容器を下から支持する金具が必要であり、また、金具を取り付けるビスが必要であるため部品点数が多く、構造も複雑になりがちであり、構造の簡素化など、その改善が望まれていた。【０００６】本発明は、かかる点に着目してなされたものであり、その目的は、部品点数が削減され構造が簡素化された把手着脱式カップを提供する点にある。
【課題を解決するための手段】
【０００７】  この目的を達成するために、本発明による把手着脱式カップは、底部とこの底部の周縁から上方に立ち上がる側壁とを具備する有底筒状の容器本体と、前記容器本体の側方に設けられる把手とを備えるカップであって、前記側壁の上部に、前記側壁の上端が径外方向に屈曲したフランジ部、および、前記フランジ部の径外方向の端部から下方に屈曲する形態の垂下壁を備え、前記垂下壁と前記側壁との間に所定寸法の把手止着用間隙が形成され、前記把手の上端に、前記把手止着用間隙に嵌入される嵌入体を備え、前記把手が下方に移動することを牽制する把手降下規制部を備える点を特徴とする。【０００８】  このように構成され、側壁の上部に、側壁の上端が径外方向に屈曲したフランジ部、および、フランジ部の径外方向の端部から下方に屈曲する形態の垂下壁を備え、垂下壁と側壁との間に所定寸法の把手止着用間隙が形成され、把手の上端に、把手止着用間隙に嵌入される嵌入体を備えるものであるので、把手の上端に備える嵌入体が、垂下壁と側壁との間に形成された把手止着用間隙に嵌入された状態で、嵌入体がフランジ部を下方から支持することが可能になり、特許文献１に記載された把手着脱式カップのように、金具などの別部材によりガラス容器を下から支持することが不要になり、構造が簡素化できるに至った。【０００９】  さらに、請求項１による把手着脱式カップは、把手が下方に移動することを牽制する把手降下規制部を備えるものであるから、把手が下方に移動してしまうことに起因して、把手の上端に備える嵌入体が把手止着用間隙から外れてしまい嵌入体がフランジ部を下方から支持できなくなることが抑制される。【００１０】  要するに、請求項１に記載の発明によって、金具などの別部材によりガラス容器を下から支持することが不要になり、構造が簡素化できると共に、把手によって容器本体を安定して支持することが可能な把手着脱式カップとすることができるに至った。【００１１】  請求項２に記載の把手着脱式カップは、請求項１に記載の特徴に加え、前記把手降下規制部が、前記容器本体の外面を下方から覆う弾性体からなるカバー体である点を特徴とする。【００１２】  請求項２に記載の特徴によって、請求項１による効果に加え、外観が美麗な把手着脱式カップとすることができる。【００１３】  つまり、カバー体で容器本体が覆われ外観が美麗とすることができ、また、容器本体を、弾性体からなるカバー体で覆うだけで把手降下規制部が構成でき、把手降下規制部の簡素化が可能となる。【００１４】  要するに、請求項２に記載の特徴によって、請求項１による効果に加え、外観が美麗な把手着脱式カップとすることができ、また、構造の簡素化が可能となる。【００１５】  請求項３に記載の把手着脱式カップは、請求項１または請求項２に記載の特徴に加え、前記フランジ部および前記垂下壁を、前記側壁の上部の全周にわたって備える点を特徴とする。【００１６】  このように構成することによって、請求項１または請求項２による効果に加え、容器本体の上面視における３６０度何れの位置の側壁にも把手を取り付けることができ、使い勝手のよい把手着脱式カップとすることができる。【００１７】  請求項４に記載の把手着脱式カッ��は、請求項３に記載の特徴に加え、前記フランジ部に孔を備える点を特徴とする。【００１８】  このように構成することによって、請求項３による効果に加え、容器本体を洗浄した後、容器本体のフランジ部が下方になるように伏せた状態で食器かごなどに置いた場合に、フランジ部に流下する水が、フランジ部に備える孔から排水でき、洗浄後の乾燥時間が短縮される。【００１９】  つまり、フランジ部に孔を備えない場合は、容器本体を洗浄した後、容器本体のフランジ部が下方になるように伏せた状態で食器かごなどに置いたときに、フランジ部に流下する水が、フランジ部に留まってしまうことになり、洗浄後の乾燥時間の長期化を招くことになるが、フランジ部に孔を備えることで、フランジ部に流下する水が、フランジ部に備える孔から排水でき、洗浄後の乾燥時間が短縮されるのである。【００２０】  要するに、請求項４に記載の特徴によって、請求項３による効果に加え、洗浄後の乾燥時間が短縮される。【００２１】  請求項５に記載の把手着脱式カップは、請求項１または請求項２に記載の特徴に加え、前記フランジ部および前記垂下壁が、前記側壁の上部の周方向の一部に備え、前記側壁の上部の周方向の前記一部を除く他部が、前記フランジ部、或いは、前記垂下壁を備えない欠損部となっている点を特徴とする。【００２２】  このように構成することによって、請求項１または請求項２による効果に加え、容器本体を洗浄した後、容器本体のフランジ部が下方になるように伏せた状態で食器かごなどに置いた場合に、フランジ部に流下する水が、欠損部から排水でき、洗浄後の乾燥時間が短縮される。【００２３】  つまり、フランジ部に欠損部を備えない場合は、容器本体を洗浄した後、容器本体のフランジ部が下方になるように伏せた状態で食器かごなどに置いたときに、フランジ部に流下する水が、フランジ部に留まってしまうことになり、洗浄後の乾燥時間の長期化を招くことになるが、欠損部を備えることで、フランジ部に流下する水が、欠損部から排水でき、洗浄後の乾燥時間が短縮されるのである。【００２４】  要するに、請求項５に記載の特徴によって、請求項１または請求項２による効果に加え、洗浄後の乾燥時間が短縮される。【００２５】  請求項６に記載の把手着脱式カップは、請求項１から請求項５に記載の特徴に加え、前記嵌入体には、前記把手止着用間隙に沿って伸びる延長部が延設されている点を特徴とする。【００２６】  このように構成することによって、請求項１から請求項５による効果に加え、容器本体に取付けられた把手が左右方向にぐらつくことが抑制される。【００２７】  つまり、把手止着用間隙には嵌入体から延設された延長部が嵌入されるものであるから、容器本体に取付けられた把手が左右方向にぐらつくことが抑制されるのである。【００２８】  請求項７に記載の把手着脱式カップは、請求項１から請求項６に記載の特徴に加え、前記カバー体が、前記把手が前記容器本体の外面の周方向に移動することを牽制する、把手周方向移動規制部を備える点を特徴とする。
このように構成することによって、請求項１から請求項６による効果に加え、容器本体に取付けられた把手が容器本体の外面の周方向に移動することが抑制され、把手が容器本体の周方向に移動してしまい、把手による容器本体の支持が不安定になることが抑制される。
【発明の効果】
【００２９】  請求項１によれば、金具などの別部材により容器本体を下から支持することが不要になり、構造が簡素化できる。また、把手によって容器本体を安定して支持することが可能となる。
また、請求項２によれば、外観が美麗な把手着脱式カップとすることができ。また、構造の簡素化が可能となる。【００３０】  請求項３によれば、使い勝手のよい把手着脱式カップとすることができる。
また、請求項４によれば、洗浄後の乾燥時間が短縮される。
また、請求項５によれば、洗浄後の乾燥時間が短縮される。
また、請求項６によれば、把手が左右方向にぐらつくことが抑制される。
また、請求項７によれば、把手による容器本体の支持が不安定になることが抑制される。
【図面の簡単な説明】
【００３１】
【図１】  本発明の第１実施形態の把手着脱式カップを示す要部切り欠き正面図。
【図２】  本発明の別実施形態の把手着脱式カップを示す要部切り欠き正面図。
【図３】  本発明の第１実施形態の把手着脱式カップを示す要部側断面図。（図１のＡ−Ａ）
【図４】  本発明の別実施形態の把手着脱式カップを示す要部側断面図。（図２のＡ−Ａ）
【図５】  本発明の第１実施形態の把手着脱式に備える把手を示す（ａ）側面図、（ｂ）正面図。
【発明を実施するための形態】
【００３２】  本発明による把手着脱式カップについて、図面を参照しながら説明する。
第１実施形態の把手着脱式カップＡは、図１、図３に示すように、底部１０とこの底部１０の周縁から上方に立ち上がる側壁１１とを具備する有底筒状の容器本体０１と、容器本体０１の側方に設けられる把手０２とを備えるカップＡである。
【００３３】  そして、側壁１１の上部に、側壁１１の上端が径外方向に屈曲したフランジ部１２、および、フランジ部１２の径外方向の端部から下方に屈曲する形態の垂下壁１３を備える。（図３参照。）
【００３４】  そして、垂下壁１３と側壁１１との間に所定寸法（本実施形態では、所定寸法を５ｍｍとしてある。）の把手止着用間隙１４が形成されている。（図４参照。）
【００３５】  また、把手０２の上端に、把手止着用間隙１４に嵌入される嵌入体２１を備えると共に、把手０２が下方に移動することを牽制する把手降下規制部４１ｋを備える。（図１、図３参照。）
なお、把手０２の下端と当接する当接部４１ｔがカバー体４１に設けられており、この当接部４１ｔが把手０２の下端と当接して把手０２が下方に移動することが牽制される。（図１、図３参照。）
【００３６】  なお、本実施形態においては、容器本体０１が、ホーロー用鋼板にガラス被膜が形成されたホーロー製容器である。
【００３７】  嵌入体２１が、把手止着用間隙１４に嵌入された状態で、弾性体（本実施形態ではシリコンゴム）からなるカバー体４１が容器本体０１の下から被嵌され、当接部４１ｔが把手０２の下端と当接することで把手０２が下方に移動することが牽制され、つまり、把手降下規制部４１ｋによって把手０２が下方に移動することが牽制されて、嵌入体２１が容器本体０１を下方から支持した状態が維持され、把手０２によって、容器本体０１が安定して支持されるのである。
【００３８】  なお、当接部４１ｔをカバー体４１に設けるのではなく、把手降下規制部４１ｋをカバー体４１とは別に設けるように構成してもよい。
【００３９】  なお、本実施形態の把手着脱式カップＡにおいては、フランジ部１２および垂下壁１３を、側壁１１の上部の全周にわたって備えている。
【００４０】  そのため、容器本体０１の上面視における３６０度何れの位置の側壁１１にも把手０２を取り付けることができ、使い勝手のよい把手着脱式カップＡとすることができている。
【００４１】  また、本実施形態の把手着脱式カップＡにおいては、フランジ部１２に孔３３を備えている。（図３参照。）
なお、図１においては、フランジ部１２に備える孔３３の記載を省略している。
【００４２】  フランジ部１２に孔３３を備えることで、容器本体０１を洗浄した後、容器本体０１のフランジ部１２が下方になるように伏せた状態で食器かごなどに置いたときに、フランジ部１２に流下する水が、フランジ部１２に備える孔３３から排水でき、洗浄後の乾燥時間が短縮される。
【００４３】  なお、本実施形態の把手着脱式カップＡのように、フランジ部１２および垂下壁１３を、側壁１１の上部の全周にわたって備えると共に、そのうえで、フランジ部１２に孔３３を備えるように構成するのではなく、フランジ部１２および垂下壁１３が、側壁１１の上部の周方向の一部のみに備え、側壁１１の上部の周方向の上記一部を除く他部が、フランジ部１２、或いは、垂下壁１３を備えない欠損部３４となるように構成してもよい。（図示は、省略する。）
【００４４】  このように構成することによっても、容器本体０１を洗浄した後、容器本体０１のフランジ部１２が下方になるように伏せた状態で食器かごなどに置いた場合に、フランジ部１２に流下する水が、欠損部３４から排水でき、洗浄後の乾燥時間が短縮される。
【００４５】  本実施形態の把手着脱式カップＡでは、カバー体４１の上端が把手止着用間隙１４に挿入されるように構成されており、カバー体４１と容器本体０１との間に異物が侵入することが抑制される。（図３参照。）
これとは異なり、カバー体４１の上端が把手止着用間隙１４に挿入されないように構成してもよい。（図４参照。）
【００４６】  また、本実施形態の把手着脱式カップＡでは、嵌入体２１には、把手止着用間隙１４に沿って伸びる延長部２１ａが延設されており、把手止着用間隙１４に延長部２１ａが嵌入するように構成されている。（図５参照。）
【００４７】  把手止着用間隙１４には嵌入体２１から延設された延長部２１ａが嵌入されるものであるから、容器本体０１に取付けられた把手０２が左右方向にぐらつくことが抑制されて、使い勝手の良い把手着脱式カップＡとすることができている。
【００４８】  なお、嵌入体２１から延設された延長部２１ａの延長寸法は、長すぎると把手止着用間隙１４に嵌入する際邪魔になるので、把手０２の幅の１．５から３．５倍程度が良い。
また、本実施形態では、カバー体４１が把手０２の周方向の側面と当接するように、つまり、容器本体０１の表面のうち、把手０２が存在しない箇所がカバー体４１によって覆われるようにカバー体４１が構成されている。
【００４９】  換言すると、把手０２が容器本体０１の外面の周方向に移動することを牽制する把手周方向移動規制部４１ｓ（図示せず。）を備える。
把手周方向移動規制部４１ｓ（図示せず。）を備えることで、把手０２による容器本体０１の支持が不安定になることが抑制される。
【００５０】  発明は、上記実施形態に限定されるものではなく、本発明の範囲内において種々の変形を加えることが可能である。
【符号の説明】
【００５１】０１    容器本体
１０    底部
１１    側壁
１２    フランジ部
１３    垂下壁
１４    把手止着用間隙
１５    垂下壁の下端
０２    把手
２１    嵌入体
２１ａ  延長部
３３    孔
３４    欠損部
４１    カバー体
４１ｔ  当接部
４１ｋ  把手降下規制部
４１ｓ  把手周方向移動規制部
Ａ      カップ
【図１】
2020121088.tif 000003
【図２】
2020121088.tif 000004
【図３】
2020121088.tif 000005
【図４】
2020121088.tif 000006
【図５】
2020121088.tif 000007